(57)【要約】      （修正有）【課題】食品から出る水分の吸収による側板の反りの発生を抑え、隣り合う側板の側端部での突き合わせ部分における剥離の発生を防止する食品用木箱を提供する。【解決手段】箱体１０と、その開口部を塞ぐ蓋２０とを備え、箱体１０は底板１１の周縁部に４枚の木製の側板１３からなる枠部１２が設けられ、蓋２０は天板２１の周縁部に４枚の木製の蓋側板からなる縁枠２２が設けられたものである。枠部１２の全周の上下端部と、縁枠２２の下端部にそれぞれ形成された溝１６、２４の全周にわたって、紐状体１７がその両端部を隣り合う側板１３、蓋側板の突き合わせ部分以外の位置で突き合わせた状態で埋められ、接着剤で固定される。食品の水分を吸収して、反り返ろうとする側板１３、蓋側板２３の変形による張力が作用しても溝１６、２４内の紐状体１７は、その長さを維持する。【選択図】図１
0003152069.tif 000002
【実用新案登録請求の範囲】
【請求項１】
底板と、その底板の周縁部に設けられる枠部とからなり、その枠部が複数の側板の側端部を互いに突き合わせて形成された木製の箱体である食品用木箱において、
前記枠部の外面全周に溝が形成され、その溝の全周にわたって紐状体が嵌められ、前記紐状体は、その両端部が隣り合う側板の突き合わせ部分以外の位置で突き合わされた状態で前記溝内に接着剤により固定されたことを特徴とする食品用木箱。
【請求項２】
前記枠部に形成された溝が、その枠部の上下端部のそれぞれに形成されたことを特徴とする請求項１に記載の食品用木箱。
【請求項３】
前記箱体の上端の開口部を閉じる蓋を備え、前記蓋は天板の周縁部に縁枠が設けられ、その縁枠が複数の木製の蓋側板の側端部を互いに突き合わせて形成されたものであり、前記縁枠の外面全周に溝が形成され、その溝の全周にわたって前記紐状体が埋められ、前記紐状体は、その両側端部が隣り合う蓋側板の突き合わせ部分以外の位置で突き合わされた状態で前記溝内に接着剤により固定されたことを特徴とする請求項１または２に記載の食品用木箱。
【請求項４】
前記紐状体が前記側板または蓋側板の外面よりも内側に位置する状態で前記溝内に固定されたことを特徴とする請求項１から３のいずれか１つに記載の食品用木箱。
【請求項５】
前記紐状体が輪状の伸縮自在なゴムひもで形成され、その紐状体は前記枠部又は縁枠の全周を締め付け可能であることを特徴とする請求項１から４のいずれか１つに記載の食品用木箱。
【考案の詳細な説明】
【技術分野】
【０００１】
この考案は、底板と、その底板の周縁部に設けられる枠部とからなり、その枠部が複数の側板の側端部を互いに突き合わせて形成された木製の箱体であり、調理した料理や菓子などの食品を収める食品用木箱に関する。
【背景技術】
【０００２】
従来から、高級な食品、例えば、おせち料理や仕出し弁当などを収容する容器としては食品用木箱が用いられている。この食品用木箱は、底板と、その底板の周縁部に設けられる枠部とからなり、その枠部が複数の側板の側端部を互いに突き合わせて形成された箱体から形成されるものである。
【０００３】
このような食品用木箱は、一般に、箱体の上端の開口を閉塞する蓋を備えており、箱体に蓋を嵌め合わせた状態で、箱体および蓋の外側面が揃うように形成されている。このため、箱体と蓋との揃った木目が美しく、高級感があり、また、収容したおせち料理や仕出し弁当などの見映えが良く、木のもつ吸湿性による「おひつ効果」によって味を良く保つことができる。
【考案の概要】
【考案が解決しようとする課題】
【０００４】
この食品用木箱は、食品を収容すると料理から出る水分が側板に伝わり、その水分を吸収して側板が反り返る。側板が反り返ると、隣り合う側板において、これらの側端部での突き合わせ部分に剥離が生じるという問題があった。
【０００５】
このような剥離を防止するために、箱体の枠部の全周に紐状体を結んで側板の反りの発生を抑えることが考えられるが、枠部の外周に紐状体が結ばれていると、紐状体の結び目が目立ち外観が悪い。また、側板の表面に紐状体を沿わせた状態で結ぶことが難しく、側板の反り返りの発生を抑えることが難しい。
【０００６】
そこで、この考案の課題は、食品から出る水分の吸収による側板の反りの発生を抑え、隣り合う側板の側端部での突き合わせ部分における剥離の発生を防止することにある。
【課題を解決するための手段】
【０００７】
上記の課題を解決するために、底板と、その底板の周縁部に設けられる枠部とからなり、その枠部が複数の側板の側端部を互いに突き合わせて形成された木製の箱体である食品用木箱において、前記枠部の外面全周に溝が形成され、その溝の全周にわたって紐状体が埋められ、前記紐状体は、両側端部が隣り合う側板の突き合わせ部分以外の位置で突き合わされた状態で前記溝内に接着剤により固定された構成を採用したのである。
【０００８】
この考案に係る食品用木箱内に食品が収容されると、その食品からの水分の吸収に伴って、箱体の底板および各側板が反り返ろうとする。これらの部材のうち、枠部を形成する各側板にはその溝内に紐状体が接着剤により固定されている。この紐状体は、反り返ろうとする各側板の変形に伴って張力が作用しても、その長さを維持する。このため、各側板の変形が抑えられ、変形前の状態を保持され、隣り合う側板の側端部での突き合わせ部分における剥離の発生が防止される。
【０００９】
前記構成において、前記枠部に形成された溝が、その枠部の上下端部のそれぞれに形成されると、側板の上下端において、それぞれ、隣り合う側板の突き当て部の剥離を抑えることが可能となる。
【００１０】
また、箱体の上端の開口部を閉塞する蓋を備え、前記蓋は天板の周縁部に縁枠が設けられ、その縁枠が複数の木製の蓋側板の側端を突き合わせて形成されたものであり、前記縁枠の外面全周に溝が形成され、その溝の全周にわたって前記紐状体が埋められ、前記紐状体はその両側端部が前記側板の側端部以外の位置で付き合わされた状態で前記溝内に接着剤により固定された構成を採用することができる。
【００１１】
蓋を備えた構成では、その蓋においても、食品からの水分の吸収に伴い、天板および各蓋側板が反り返ろうとする。これらの部材のうち縁枠を形成する各蓋側板は、その溝内に紐状体が接着剤により固定されているので、箱体の枠部の場合と同様に、その紐状体によって、反り返ろうとする各蓋側板の変形が抑えられ、変形前の状態を保持される。このため、隣り合う蓋側板の側端部での突き合わせ部分における剥離の発生が防止される。
【００１２】
さらに、前記紐状体が前記側板または蓋側板の外面よりも内側に位置する状態で前記溝内に固定されると、紐状体が側板または蓋側板から突き出すことがなく、食品用木箱同士を並べた際、他の食品用木箱の側板や蓋側板によって、紐状体が擦れて、引張り強度が低下したり、切れたりすることを防止することができる。
【００１３】
前記紐状体としては、輪状の伸縮自在なゴムひもで形成され、その紐状体は前記枠部または前記縁枠の全周を締め付け可能であれば、紐状体を広げて溝に嵌め、その弾性により枠部または縁枠の全周を締め付ける状態で溝内に固定することができる。このため、紐状体の溝への取り付けが容易になり、また、紐状体の締め付けにより側板、蓋側板の側端部での突き合わせ部分に反りの発生を防止することができる。
【考案の効果】
【００１４】
以上のように、この考案は、箱体の枠部の外面全周に形成した溝内に紐状体を全周にわたって固定することで、食品からの水分を吸収して反り返ろうとする枠部の各側板の変形が抑えられ、隣り合う側板の側端部での突き合わせ部分における剥離の発生を防止することができる。
【図面の簡単な説明】
【００１５】
【図１】実施例１の食品用木箱の斜視図
【図２】同上の食品用木箱の角部を示す一部切り欠き拡大斜視図
【図３】同上の食品用木箱の要部拡大縦断面図
【図４】同上の食品用木箱の紐状体を埋めた溝の断面を示す縦断面図
【図５】同上の食品用木箱の箱体の溝の位置での横断面図
【図６】ａは、実施例１の紐状体を埋めた溝の他の断面を示す縦断面図、ｂは、実施例１の紐状体を埋めた溝の変形例１を示す縦断面図、ｃは、実施例１の紐状体を埋めた溝の変形例２を示す縦断面図、ｄは、他の形態の紐状体を埋めた溝の断面を示す縦断面図
【考案を実施するための形態】
【００１６】
以下、この考案に係る食品用木箱の実施例１を図１〜６図に示す。
この実施例１の食品用木箱１は、図１、図２に示すように、上端が開口する矩形の箱体１０と、箱体１０の開口部を塞ぐ蓋２０とを備えたものである。
【００１７】
箱体１０は、木製矩形の底板１１と、その底板１１の周縁部に設けられる枠部１２とからなり、この枠部１２が、木製短冊状である４枚の側板１３の側端部を互いに直角に突き合わせて形成されたものである。枠部１２の各側板１３は、突き合わされた側端部において接着剤により固定され、下端部内面に設けられた嵌合溝１４に底板１１の周縁部が嵌め合わされている（図３参照）。
【００１８】
枠部１２の内面の四面全面には、図１に示すように、木製の内板１５がそれぞれ貼り合わされ、内板１５によって、側板１３の内面のうち底板１１よりも上方部分が覆われる（図５参照）。各内板１５は上端部が側板１３の上端部よりも突出しており、その突出部分の外側に蓋２０の天板２１の周縁部に設けられた縁枠２２が嵌合可能となっている。
【００１９】
箱体１０の枠部１２は、図１に示すように、その外面の全周にわたって上下端部の２箇所に溝１６が平行に形成されて、この溝１６は各側板１３の外面および端面（左右方向の端面）にそれぞれ形成され、互いに周方向に連通している。溝１６は、少なくとも枠部１２の全周にわたって１箇所に形成することも可能である。この実施例のように、上下端部の２箇所に平行に形成されると、隣り合う側板１３の突き合わせ部分の上下端において、剥離を防止することができる。
【００２０】
この上下端の溝１６の全周にわたって、紐状体１７が埋められている。この紐状体１７は、図４に示すように、その表面に予め接着剤１８が塗布された状態で、溝１６に埋められ、接着剤を固化させることで溝１６内に固定される。
【００２１】
紐状体１７が固定される溝１６としては、溝底面が側板１３の外面と平行に形成され、その内部の紐状体１７が、側板１３の外面よりも内側の位置に固定されている。このため、食品用木箱同士を並べた際、他の食品用木箱の側板や蓋側板によって、紐状体が擦れて、引張り強度が低下したり、切れたりすることを防止することができる。
【００２２】
溝１６は、その内部に固定された紐状体１７が側板１３の外面よりも内側の位置に固定可能であれば、その溝底面の形状は、特に限定しないが、例えば、図６（ａ）示すように、溝底面が紐状体１７の表面に沿う断面円弧状に形成することができる。この場合、紐状体１７が溝底面に沿い、溝１６内で安定する。
【００２３】
また、溝１６の溝底面を断面楕円弧状の湾曲面とし、溝幅を図４に示す溝１６よりも大きく形成することもできる（図６（ｂ）参照）。溝幅が大きいと、接着剤１８を塗布した紐状体１７を溝１６に入れる際、溝１６の縁部に接着剤１８が付着することを防止することができる。
【００２４】
溝１６に固定される紐状体１７は、伸縮しにくく、十分な引張り強度を有し、接着剤１８とのなじみが良いものが好ましく、例えば、綿糸や、麻糸を組み、撚り、または束ねたものを使用することができ、その両端部１７ａが側板１３の中央部分で突き合う状態で埋められている（図５参照）。
【００２５】
側板１３での紐状体１７の両端部１７ａが突き合う位置は、図５に示す中央部分に限られず、隣り合う側板１３の側端部以外の位置であればよい。隣り合う側板１３の側端部に紐状体１７の両端部が突き合う位置がある場合、紐状体１７の張力を利用して隣り合う側板１３の突き合わせ部分で生じる剥がれを効果的に防止することができないからである。ここで、両端部が付き合う状態とは、両端部が溝１６内で若干重なり合う、または、若干離れている状態を含むものとする。
【００２６】
また、紐状体１７を側板１３の外面よりも内側の位置に固定させる必要がない場合、例えば、紐状体１７に適宜着色して箱体１０の装飾として利用する場合、紐状体１７を滑り止めとして利用する場合などにおいて、溝１６の断面形状として、側板１３の内側に向かうＶ字状することができる（図６（ｃ）参照）。
【００２７】
さらに、紐状体１７としては、上述した綿糸、麻糸などを組み、撚り、束ねたものに限られず、図６（ｄ）に示すように、輪状の伸縮自在なゴムひもで形成されたものを使用することができる。このゴムひもは、平打または丸打のひも１７ｂに、芯としてゴム糸１７ｃを入れたものである。
【００２８】
この輪状のゴムひもで形成した紐状体１７を使用すると、溝１６に嵌める際、紐状体１７を広げて、その弾性により枠部１２の全周を締め付けるようして溝１６内に容易に固定することができる。また、紐状体１７の締め付けにより側板１３の側端部での突き合わせ部分における反りの発生が抑えられる。さらに、ゴムひもの外側のひも１７ａは、その表面に糸の編み目による凹凸があるため、接着剤１８の食い込みが良く、溝１６内に確実に固定することができる。
【００２９】
箱体１０の開口部を塞ぐ蓋２０は、図１に示すように、木製矩形の天板２１の周縁部に縁枠２２が設けられ、縁枠２２が木製４枚の蓋側板２３の側端部を互いに突き合わせることで形成される。縁枠２２の各蓋側板２３は、突き合わされた側端部が接着剤により固定されている。
【００３０】
蓋２０を箱体１０の開口部に嵌め合わせた状態では、図３に示すように、箱体１０の枠部１２の外側面と、蓋２０の縁枠２２の外側面が同一平面上に揃うように、箱体１０および蓋２０の外寸法が設定されている。
【００３１】
蓋２０の縁枠２２は、その外面の全周にわたって下端部に溝２４が形成され、この溝２４は、箱体１０の溝１６と同形状であり、各蓋側板２３の外面および端面（左右方向の端面）にそれぞれ形成され、互いに周方向に連通している。この溝２４内に、前述の紐状体１７が埋められている。この紐状体１７は、箱体１０の構成と同様に、その表面に予め接着剤１８が塗布された状態で、溝２４に埋められ、接着剤１８を固化させることで溝２４内に固定される。溝２４についても、前述した溝１６と同様、図４、図６（ａ）から（ｃ）に示した断面形状に形成可能である。また、紐状体１７は、縁枠２２の溝に対して前述のゴムひもで形成されたものを使用してもよい。
【００３２】
食品用木箱としては、蓋２０は必ずしも必要でなく、箱体１０のみを備えたものであってもよい。箱体１０および蓋２０を備えたものとすると、箱体１０と蓋２０との揃った木目が美しく、高級感があり、また、収容したおせち料理や仕出し弁当などの見映えが良いので好ましい。
【００３３】
このような構成の食品用木箱は、図３に示すように、おせち料理や仕出し弁当などの食品３０が収容され、時間の経過とともに、食品３０の水分は木製である箱体１０や蓋２０により吸収される。
【００３４】
水分の吸収に伴い、箱体１０の底板１１、各側板１３および各内板１５が反り返ろうとする。これらの部材のうち、枠部１２を形成する各側板１３は、その溝１６内に紐状体１７が固定されている。この紐状体１７は、伸縮し難いものであり、反り返ろうとする各側板１３の変形に伴って張力が作用しても、その長さを維持する。このため、反り返ろうとする各側板１３の変形が抑えられ、変形前の状態に保持される。その結果、隣り合う側板１３の側端部での突き合わせ部分における剥離の発生が防止される。
【００３５】
また、側板１３の上下端の２箇所に溝１６が形成されているので、箱体１０の上下端２箇所において、側板１３の反り返りが抑えられ、隣り合う側板１３の突き合わせ部分における剥離の発生が防止される。
【００３６】
蓋２０についても、食品３０からの水分の吸収に伴い、天板２１および各蓋側板２３が反り返ろうとする。これらの部材のうち縁枠２２を形成する各蓋側板２３は、箱体１０の各側板１３の場合と同様に、その溝１６内に紐状体１７が固定されている。このため、紐状体１７によって、反り返ろうとする各蓋側板２３の変形が抑えられ、変形前の状態を保持される。その結果、隣り合う蓋側板２３の側端部での突き合わせ部分における剥離の発生が防止される。
【符号の説明】
【００３７】
１０  箱体
１１  底板
１２  枠部
１３  側板
１４  嵌合溝
１５  内板
１６  溝
１７  紐状体
１７ａ  端部
１７ｂ  ひも
１７ｃ  ゴム糸
１８  接着剤
２０  蓋
２１  天板
２２  縁枠
２３  蓋側板
２４  溝
３０  食品
【図１】
0003152069.tif 000003
【図２】
0003152069.tif 000004
【図３】
0003152069.tif 000005
【図４】
0003152069.tif 000006
【図５】
0003152069.tif 000007
【図６】
0003152069.tif 000008